(57)【要約】【課題】  シングルレバー水栓におけるカートリッジを水栓本体に容易にかつ確実に着脱できるとともに、メンテナンス時、固定された水栓本体を緩めることのないカートリッジの固定構造を安価に提供する。【解決手段】  水栓本体に、吐水量及び吐水温度を調整するためのレバーと、前記レバーの操作と連動する可動弁体及び固定弁体をケーシング内に収納したカートリッジと、を備えたシングルレバー水栓において、前記カートリッジの上面に当接する押圧部を有するカートリッジ押え部材と、前記水栓本体の側面から内側に移動することにより前記カートリッジ押え部材を下方に移動させて、前記カートリッジを下向きに押える固定具とを備えたことを特徴とするシングルレバー水栓。【選択図】  図３
2006097336.tif 000002
【特許請求の範囲】
【請求項１】
水栓本体に、吐水量及び吐水温度を調整するためのレバーと、前記レバーの操作と連動する可動弁体及び固定弁体をケーシング内に収納したカートリッジと、を備えたシングルレバー水栓において、前記カートリッジの上面に当接する押圧部を有するカートリッジ押え部材と、前記水栓本体の側面から内側に移動することにより前記カートリッジ押え部材を下方に移動させて、前記カートリッジを下向きに押える固定具とを備えたことを特徴とするシングルレバー水栓。
【請求項２】
前記水栓本体の側面にネジ穴を設けるとともに、前記カートリッジ押え部材の外周は上端面から前記押圧部にかけて拡径された傾斜状の外周面を形成し、前記固定具が前記ネジ穴を通じて前記カートリッジ押え部材の外周面に当接するように移動することにより前記カートリッジを下向きに押えることを特徴とする請求項１記載のシングルレバー水栓。
【請求項３】
前記水栓本体の内周面に前記カートリッジ押え部材の押圧部の外周面と当接する段差部を設けたことを特徴とする請求項１または請求項２に記載のシングルレバー水栓。
【発明の詳細な説明】
【技術分野】
【０００１】
本発明はシングルレバー水栓に関し、特に水栓本体に収容されるカートリッジの固定構造に関する発明である。
【背景技術】
【０００２】
従来よりシングルレバー水栓は、レバーの回動操作により吐水の水量調節及び温度調節を行う機能を有する。このようなシングルレバー水栓では一般にセラミックディスクから成る固定弁体と、同じくセラミックディスクから成る可動弁体とをケーシング内部に収納してカートリッジ化し、これを水栓本体に固定した構造が多く採用されているが、その際、本体上端部にカートリッジ軸と同軸上にネジを設け、そのネジにカートリッジ押え部材をねじ込むことで、そのねじ込み力でカートリッジを本体に対し軸方向に押付け固定している。（例えば、特許文献１参照。）
【０００３】
しかしながらこのような構成のカートリッジ固定構造では、カートリッジ押え部材がカートリッジを固定する機能だけではなく外観部材としての機能も必要となり、カートリッジ押え部材が高価になる問題があるほか、カートリッジ押え部材を外してカートリッジを取り出す際、カートリッジ押え部材に加えた回転力によって水栓本体が供回りしてしまい、水栓本体のカウンター等取付基体に対する固定力が弱くなってしまうといった問題を生ずる。
【０００４】
また、他のカートリッジ固定構造として、水栓本体上端部に係止溝を設け、カートリッジ上面を下向きに押圧する押圧部を備えたカートリッジ押え部材に係止爪を設け、係止溝と係止爪との軸方向の係止によりカートリッジを水栓本体に固定しているものもある。（例えば、特許文献２参照。）
【０００５】
しかしながら、このような構成のカートリッジ固定構造では、カートリッジ押え部材の軸方向の押込み力が係止爪の弾性力のみとなりカートリッジと本体とを確実に密着させることが出来ないため、カートリッジと水栓本体の水密が保たれず漏水などの問題が起こる。また、係止爪を樹脂材料で形成する場合などは経年変化などによる樹脂材料の劣化により、カートリッジと本体とを確実に密着させることが出来なくなり、カートリッジと水栓本体の水密が保たれず漏水などの問題が起こる可能性がある。またこの問題を回避しようとすると係止爪及び係止溝の寸法許容差を厳しくしたり高価な材料を使用したりする必要があり、部材が高価になる問題も出てくる。
【特許文献１】特開平１０−１５２８６９号公報
【特許文献２】特開２００１−３５５７５３号公報
【発明の開示】
【発明が解決しようとする課題】
【０００６】
本発明は、上記問題を解決するためになされたもので、本発明の課題は、シングルレバー水栓におけるカートリッジを水栓本体に容易にかつ確実に着脱できるとともに、メンテナンス時、固定された水栓本体を緩めることのないカートリッジの固定構造を安価に提供することである。
【課題を解決するための手段】
【０００７】
上記目的を達成するために、請求項１記載の発明によれば、水栓本体に、吐水量及び吐水温度を調整するためのレバーと、前記レバーの操作と連動する可動弁体及び固定弁体をケーシング内に収納したカートリッジと、を備えたシングルレバー水栓において、前記カートリッジの上面に当接する押圧部を有するカートリッジ押え部材と、前記水栓本体の側面から内側に移動することにより前記カートリッジ押え部材を下方に移動させて、前記カートリッジを下向きに押える固定具とを備えたことにより、固定された水栓本体を緩めることなくカートリッジを簡単な作業で水栓本体に着脱できるとともに、カートリッジを水栓本体に確実に取付け、水栓本体とカートリッジの水密部より漏水することを防止できる。
【０００８】
また、請求項２記載の発明によれば、前記水栓本体の側面にネジ穴を設けるとともに、前記カートリッジ押え部材の外周は上端面から前記押圧部にかけて拡径された傾斜状の外周面を形成し、前記固定具が前記ネジ穴を通じて前記カートリッジ押え部材の外周面に当接するように移動することにより前記カートリッジを下向きに押えることにより、前記カートリッジ押え部材の形状を簡素化することができ、カートリッジ固定構造を安価に提供することができる。また、前記固定具のねじ軸方向と水栓本体の軸方向が異なる為、カートリッジを取出す際、水栓本体のカウンターへの固定を緩めてしまうことがない。
【０００９】
また、請求項３記載の発明によれば、前記水栓本体の内周面に前記カートリッジ押え部材の押圧部の外周面と当接する段差部を設けたことにより、カートリッジ押え部材を適切な位置まで押え込むことができ、カートリッジに無駄な力がかからず、水栓本体とカートリッジの水密性を安定して得ることができる。
【発明の効果】
【００１０】
本発明によれば、シングルレバー水栓におけるカートリッジを水栓本体に容易にかつ確実に着脱できるとともに、メンテナンス時、固定された水栓本体を緩める必要がない。
【発明を実施するための最良の形態】
【００１１】
以下に図面を参照して本発明をより具体的に説明する。図１は本発明のシングルレバー水栓を示した斜視図、図２は本発明のシングルレバー水栓を構成する部品を示した分解斜視図、図３は本発明のシングルレバー水栓の断面側面図である。
本発明におけるシングルレバー水栓１は図１、図２に示すように、主として水栓本体１１と、弁体を収容したカートリッジ１２と、カートリッジ１２の上面を下向きに押える押圧部を有するカートリッジ押え部材１３と、カートリッジ押え部材１３を介してカートリッジ１２を下向きに押える固定具１４と、吐水管１５を有し水栓本体１１を覆う第一化粧カバー１６と、第一化粧カバー１６の上部に配置される第二化粧カバー１７と、吐止水、温度調節を操作するレバー１８で構成される。
そして、シングルレバー水栓１は、水栓本体１１に給水管・給湯管（図示しない）を接続し、流し台天板（図示しない）を介して水栓本体１１に設けたボルト（図示しない）にナット（図示しない）を螺合して流し台天板に固定される。
【００１２】
水栓本体１１は周知の技術のものであり、外観が略円筒状に形成され下方には図示しない給水管、給湯管（図示しない）が接続される。そして、給水入口、給湯入口から給水路、給湯路が延設されている。また、給水入口、給湯入口から離れた位置にシングルレバー水栓１を流し台の天板（図示しない）に設置するためのボルト（図示しない）が設けられている。
【００１３】
図２、図３に示すように水栓本体１１の内部には、カートリッジ１２を収納するための凹部１９を設け、カートリッジ押え部材１３の押圧部４１と当接する段差部２１を設けている。また、図示しない給水路、給湯路、湯水混合水路３０が形成され、湯水混合水路３０は、水栓本体１１の側面を貫通するように形成されている。水栓本体１１の側面上方には、固定具１４を螺合するためのねじ穴２０が３箇所等間隔に設けている。
【００１４】
カートリッジ１２は周知技術のもので、円筒形状のケーシング２２を有しており、下面にはシール材としてのパッキン２３が装着されている。カートリッジ１２の内部にはセラミックから成る固定弁体２９と、その固定弁体に摺動可能なセラミックディスクから成る可動弁体２８とが収納されており、その可動弁体２８に対して作用アーム２４が結合されている。カートリッジ１２はパッキン２３を介して水栓本体１１に水密に固定され、作用アーム２４を左右及び上下に回動させることでその可動弁体が固定弁体に対し摺動運動し、吐止水、及び温度調節を行うようになっている。
【００１５】
固定具１４は、六角穴付き止めねじとし、先端形状はとがり先を使用する。
【００１６】
第一化粧カバー１６の外観は円筒状に形成され、前記水栓本体１１の側面とパッキン２６を介して水密に接触しており、水栓本体１１とともに湯水混合水路を形成し、吐水管１５へ繋がっている。
【００１７】
第二化粧カバー１７は、外観は円筒状に形成され、外周面はレバー１８との干渉を避ける為、途中から縮径された傾斜状の側面を形成している。水栓本体１１の側面上方のねじ穴２０及び固定具１４を隠す機能を有する。
【００１８】
レバー１８は周知技術のもので、カートリッジ１２の作用アーム２４と止めねじ２７によって連結されている。レバー１８を介して作用アーム２４を左右及び上下に回動させることでその可動弁体２８が固定弁体２９に対し摺動運動し、吐止水、及び温度調節を行うようになっている。
【００１９】
カートリッジ押え部材１３は、図４に示すようにカートリッジ１２の上端面２５を下向きに押える押圧部４１を有し、外周は上端面４２から前記押圧部４１にかけて拡径された傾斜状の外周面４３を形成している。
【００２０】
これら構成部材の組立手順として、水栓本体１１の凹部１９にカートリッジ１２を挿入した後、カートリッジ上端面２５にカートリッジ押え部材１３の押圧部４１が接触するように挿入する。
そして、水栓本体１１の上方に設けたねじ穴２０に外側から固定具１４を矢印Aの方向に固定具１４の先端がカートリッジ押え部材１３の外周面４３に当接するまでねじ込む。  固定具１４がカートリッジ押え部材１３に当接した後もねじ込むとカートリッジ押え部材１３の押圧部４１に矢印Bのように下向きの力が働き、カートリッジ１２を押さえつけることになる。
カートリッジ押え部材１３がカートリッジ１２を押える方向に進むと、カートリッジ押え部材１３の押圧部４１が水栓本体１１の段差部２１に当接し、カートリッジ１２が水栓本体１１とパッキン２３を介し水密に固定される。（図５）
次に第一化粧カバー１５を水栓本体１１上部よりかぶせ、更に第二化粧カバー１７を水栓本体１１上部よりかぶせ、水栓本体１１のねじ穴２０及び固定具１４を隠す。これによって、固定具１４が露出しないので外観上見映えが良くなる他、いたずらを防止することができる。さらに、レバー１８をカートリッジ１２の作用アーム２４に差込み、止めねじ２７によって固定する。
【００２１】
上記のように組立てることにより、カートリッジ１２を水栓本体１１に容易に且つ、確実に取付けることができる。
【００２２】
カートリッジ１２を取外す際は、レバー１８と作用アーム２４を固定する止めねじ２７をゆるめ、第二化粧カバー１７を水栓本体１１上方へ引き抜く。次に、工具を用いて固定具１４をゆるめ、作用アーム２４をつかみ上方へ引き上げることで簡単に取外すことができる。また、固定具１４のねじ軸方向と水栓本体１１の軸方向が異なる為、固定具１４に回転力を加えても水栓本体１１の流し台の天板への固定を緩めてしまうことはない。
【図面の簡単な説明】
【００２３】
【図１】本発明のシングルレバー水栓を示した斜視図。
【図２】本発明のシングルレバー水栓を構成する部品を示した分解斜視図。
【図３】本発明のシングルレバー水栓の断面側面図。
【図４】カートリッジ押えの断面側面図。
【図５】カートリッジ及びカートリッジ押え部の拡大断面側面図。
【符号の説明】
【００２４】
１…シングルレバー水栓
１１…水栓本体
１２…カートリッジ
１３…カートリッジ押え部材
１４…固定具
１５…吐水管
１６…第１化粧キャップ
１７…第２化粧キャップ
１８…レバー
１９…凹部
２０…ねじ穴
２１…段差部
２２…ケーシング
２３…パッキン
２４…作用アーム
２５…上端面
２６…パッキン
２７…止めねじ
２８…可動弁体
２９…固定弁体
３０…湯水混合水路
４１…押圧部
４２…上端面
４３…外周面
【図１】
2006097336.tif 000003
【図２】
2006097336.tif 000004
【図３】
2006097336.tif 000005
【図４】
2006097336.tif 000006
【図５】
2006097336.tif 000007